(57)【特許請求の範囲】
【請求項１】
柱および梁を含む構造物において、
前記梁を、前記梁の幅方向に沿う第１切断部で切断して、前記柱側の第１梁部と、それ以外の第２梁部とに分離する際に、前記第２梁部を支持する支持部材であって、
前記支持部材を前記第１梁部に固定するための固定部と、
前記第２梁部側に配置され、かつ前記第２梁部の荷重を受ける第１荷重受け部と、
前記第１梁部側に配置され、かつ前記第１梁部に前記第２梁部の荷重に対する反力を与える反力部と、
前記第１荷重受け部と前記反力部とを一体化するアーム部と、を備え、
前記第１荷重受け部は、前記第２梁部の底面から前記第２梁部の荷重を受け、
前記反力部は、前記第１梁部の底面から前記反力を前記第１梁部に付与する、構造物支持部材。
【請求項２】
前記固定部は、前記第１梁部を幅方向に貫通し、かつ少なくとも一方の端部が前記第１梁部から幅方向に突出した状態で前記第１梁部に固定される棒状部を備え、
前記棒状部の前記端部には前記アーム部が固定されている、請求項１に記載の構造物支持部材。
【請求項３】
前記アーム部は、前記棒状部の前記端部に固定され、かつ鉛直方向に延びる支柱と、前記支柱の下端部から前記梁の長さ方向に沿って一方向に延びる第１アームと、前記支柱の前記下端部から前記梁の長さ方向に沿って他方向に延びる第２アームと、を備え、
前記第１アームは、端部に前記第１荷重受け部を有し、
前記第２アームは、端部に前記反力部を有する、請求項２に記載の構造物支持部材。
【請求項４】
柱、梁およびスラブを含む構造物において、
前記梁を、前記梁の幅方向に沿う第１切断部で切断して、前記柱側の第１梁部と、それ以外の第２梁部とに分離する際に、前記第２梁部を支持するとともに、
前記スラブを、前記梁の長さ方向に沿う第２切断部で切断して、前記梁側の第１スラブ部と、それ以外の第２スラブ部とに分離する際に、前記第２スラブ部を支持する支持部材であって、
前記支持部材を第１梁部に固定するための固定部と、
前記第２梁部側に配置され、かつ前記第２梁部の荷重を受ける第１荷重受け部と、
前記第１梁部側に配置され、かつ前記第１梁部に前記第２梁部の荷重に対する反力を与える反力部と、
前記第１荷重受け部と前記反力部とを一体化するアーム部と、
前記アーム部に一体化されるとともに、前記第２スラブ部側に配置され、かつ前記第２スラブ部の荷重を受ける第２荷重受け部と、を備える、構造物支持部材。
【請求項５】
前記第１荷重受け部は、前記第２梁部の底面から前記第２梁部の荷重を受け、
前記第２荷重受け部は、前記第２スラブ部の底面から前記第２スラブ部の荷重を受け、
前記反力部は、前記第１梁部の底面から、前記第２梁部の荷重に対する反力を前記第１梁部に付与する、請求項４に記載の構造物支持部材。
【請求項６】
前記固定部は、前記第１梁部を幅方向に貫通し、かつ少なくとも一方の端部が前記第１梁部から幅方向に突出した状態で前記第１梁部に固定された棒状部を備え、
前記棒状部の前記端部には前記アーム部が固定されている、請求項４または５に記載の構造物支持部材。
【請求項７】
前記アーム部は、前記棒状部の前記端部に固定され、かつ鉛直方向に延びる支柱と、前記支柱の下端部から前記梁の長さ方向に沿って一方向に延びる第１アームと、前記支柱の前記下端部から前記梁の長さ方向に沿って他方向に延びる第２アームと、前記支柱から前記梁の幅方向に沿って前記梁の外方に向かって延びる第３アームと、を備え、
前記第１アームは、端部に前記第１荷重受け部を有し、
前記第２アームは、端部に前記反力部を有し、
前記第３アームは、端部に前記第２荷重受け部を有する、請求項６に記載の構造物支持部材。
【請求項８】
前記第２荷重受け部は、前記第３アームの前記端部に固定され、かつ前記第２荷重受け部の高さを調整するための束材を有する、請求項７に記載の構造物支持部材。
【請求項９】
前記梁を上から見たときに、前記第１アームの少なくとも一部において、前記第１アームと前記梁との間に、前記梁を切断するワイヤと前記第１アームとの接触を抑制するための隙間が形成されており、前記第１アームは、前記隙間を隔てて前記第１切断部を跨ぐような形状を有している、請求項３、７または８に記載の構造物支持部材。
【請求項１０】
前記アーム部は、前記第１アームよりも上方、かつ前記梁の側面に配置され、前記支柱から前記第１アームと同じ向きに延びる第４アームをさらに備え、
前記梁を上から見たときに、前記第４アームの少なくとも一部において、前記第４アームと前記梁との間に、前記梁を切断するワイヤと前記第４アームとの接触を抑制するための隙間が形成されており、前記第４アームは、前記隙間を隔てて前記第１切断部を跨ぐような形状を有している、請求項３、および７〜９のいずれか１項に記載の構造物支持部材。
【請求項１１】
前記アーム部は、前記第１アームの前記端部と前記第４アームの端部とを連結する連結部材をさらに備える、請求項１０に記載の構造物支持部材。
【請求項１２】
前記アーム部は、前記第２アームの前記端部と前記支柱の上部とを、斜めに連結し、前記反力部を補強する補強部材をさらに備える、請求項３、および７〜１１のいずれか１項に記載の構造物支持部材。
【請求項１３】
前記構造物支持部材は、前記梁を挟むように配置された一対の前記アーム部を有しており、
前記一対のアーム部のそれぞれが、前記第１荷重受け部および前記反力部を備え、
前記一対のアーム部が前記固定部により前記第１梁部に固定されている、請求項１〜１２のいずれか１項に記載の構造物支持部材。
【請求項１４】
請求項１に記載の構造物支持部材を用いて、前記構造物を解体する方法であって、
前記第１荷重受け部と前記反力部との間に前記第１切断部が位置するように、前記固定部により前記支持部材を前記第１梁部に固定する固定工程、および
前記梁を、前記第１切断部で切断して、前記第１梁部と前記第２梁部とに分離する梁切断工程を含む、構造物解体方法。
【請求項１５】
前記構造物がスラブを含み、
前記固定工程または前記梁切断工程に先立って、前記スラブが前記梁の長さ方向に沿う第２切断部で切断されて、前記梁側の第１スラブ部とそれ以外の第２スラブ部とに分離され、前記第２スラブ部が取り除かれる、請求項１４に記載の構造物解体方法。
【請求項１６】
請求項４に記載の構造物支持部材を用いて、前記構造物を解体する方法であって、
前記第２スラブ部を前記第２荷重受け部により支持するとともに、前記第１荷重受け部と前記反力部との間に前記第１切断部が位置するように、前記固定部により前記支持部材を前記第１梁部に固定する固定工程、
前記スラブを、前記第２切断部で切断して、前記第１スラブ部と前記第２スラブ部とに分離するスラブ切断工程、
切断した前記第２スラブ部を取り除く工程、および
前記梁を、前記第１切断部で切断して、前記第１梁部と前記第２梁部とに分離する梁切断工程を含む、構造物解体方法。
【発明の詳細な説明】
【技術分野】
【０００１】
本発明は、構造物に含まれる梁やスラブを切断する際にこれらを支持する支持部材およびそれを用いた構造物解体方法に関する。
【背景技術】
【０００２】
構造物を解体する際には、構造物に含まれる梁、スラブ（床スラブ）、柱などを切断する必要がある。安全性を確保する観点から、切断は、通常、重機や支保工などで梁、スラブ、柱などを支えた状態で行われる。
【０００３】
例えば、特許文献１では、梁の上のスラブを部分的に取り除き、露出した梁を、一部を残して切断し、さらにクレーンで吊った状態で残りの部分を切断することが提案されている。特許文献１には、クレーンで吊る時間が短くなることで、クレーンを効率的に使用することができ、解体作業の効率が向上することが記載されている。
【先行技術文献】
【特許文献】
【０００４】
【特許文献１】特開２０１４−１５１１号公報
【発明の概要】
【発明が解決しようとする課題】
【０００５】
特許文献１に教示されるように、構造物を解体する際に、重機で支えた状態で、梁やスラブなどの構造物の構成部材を切断する場合、重機で支える時間が長くなるほど、解体作業の効率が低下する。また、支保工を利用する場合、資材の搬入、支保工の組み立ておよび解体などに多大な労力が必要となる。重機や支保工で支えることなく構成部材を切断することができれば、簡便であり、作業効率を大きく向上できる。
【０００６】
本発明の目的は、簡便な方法で、構造物に含まれる梁やスラブを切断することができる、構造物支持部材およびそれを用いた構造物解体方法を提供することである。
【課題を解決するための手段】
【０００７】
本発明の一局面は、柱および梁を含む構造物において、
前記梁を、前記梁の幅方向に沿う第１切断部で切断して、前記柱側の第１梁部と、それ以外の第２梁部とに分離する際に、前記第２梁部を支持する支持部材であって、
前記支持部材を前記第１梁部に固定するための固定部と、
前記第２梁部側に配置され、かつ前記第２梁部の荷重を受ける第１荷重受け部と、
前記第１梁部側に配置され、かつ前記第１梁部に前記第２梁部の荷重に対する反力を与える反力部と、
前記第１荷重受け部と前記反力部とを一体化するアーム部と、を備え、
前記第１荷重受け部は、前記第２梁部の底面から前記第２梁部の荷重を受け、
前記反力部は、前記第１梁部の底面から前記反力を前記第１梁部に付与する、構造物支持部材に関する。
【０００８】
本発明の他の一局面は、上記の構造物支持部材を用いて、前記構造物を解体する方法であって、
前記第１荷重受け部と前記反力部との間に前記第１切断部が位置するように、前記固定部により前記支持部材を前記第１梁部に固定する固定工程、および
前記梁を、前記第１切断部で切断して、前記第１梁部と前記第２梁部とに分離する梁切断工程を含む、構造物解体方法に関する。
【０００９】
本発明のさらに他の一局面は、柱、梁およびスラブを含む構造物において、
前記梁を、前記梁の幅方向に沿う第１切断部で切断して、前記柱側の第１梁部と、それ以外の第２梁部とに分離する際に、前記第２梁部を支持するとともに、
前記スラブを、前記梁の長さ方向に沿う第２切断部で切断して、前記梁側の第１スラブ部と、それ以外の第２スラブ部とに分離する際に、前記第２スラブ部を支持する支持部材であって、
前記支持部材を第１梁部に固定するための固定部と、
前記第２梁部側に配置され、かつ前記第２梁部の荷重を受ける第１荷重受け部と、
前記第１梁部側に配置され、かつ前記第１梁部に前記第２梁部の荷重に対する反力を与える反力部と、
前記第１荷重受け部と前記反力部とを一体化するアーム部と、
前記アーム部に一体化されるとともに、前記第２スラブ部側に配置され、かつ前記第２スラブ部の荷重を受ける第２荷重受け部と、を備える、構造物支持部材に関する。
【００１０】
本発明の別の一局面は、上記の構造物支持部材を用いて、前記構造物を解体する方法であって、
前記第２スラブ部を前記第２荷重受け部により支持するとともに、前記第１荷重受け部と前記反力部との間に前記第１切断部が位置するように、前記固定部により前記支持部材を前記第１梁部に固定する固定工程、
前記スラブを、前記第２切断部で切断して、前記第１スラブ部と前記第２スラブ部とに分離するスラブ切断工程、
切断した前記第２スラブ部を取り除く工程、および
前記梁を、前記第１切断部で切断して、前記第１梁部と前記第２梁部とに分離する梁切断工程を含む、構造物解体方法に関する。
【発明の効果】
【００１１】
本発明によれば、簡便な方法で、構造物に含まれる梁やスラブを切断することができる。よって、構造物の解体作業の作業効率を高めることができる。
【図面の簡単な説明】
【００１２】
【図１】本発明の第１実施形態に係る構造物支持部材を梁に固定させた状態を概略的に示す側面図である。
【図２】図１におけるＩＩ−ＩＩ線による矢示断面図の一部である。
【図３】図１におけるＩＩＩ−ＩＩＩ線による矢示断面図の一部である。
【図４】図１におけるＩＶ−ＩＶ線による矢示断面図の一部である。
【図５】図１におけるＶ−Ｖ線による矢示断面図の一部である。
【図６】本発明の第２実施形態に係る構造物支持部材を梁に固定させた状態を概略的に示す側面図である。
【図７】図６におけるVII−VII線による矢示断面図の一部である。
【図８】図６におけるVIII−VIII線による矢示断面図の一部である。
【図９】本発明の第３実施形態に係る構造物支持部材を梁に固定させた状態を概略的に示す側面図である。
【図１０】本発明の第４実施形態に係る構造物支持部材を鉄骨梁に固定させた状態を概略的に示す側面図である。
【図１１】図１０におけるXI−XI線による矢示断面図の一部である。
【図１２】図１０におけるXII−XII線による矢示断面図の一部である。
【図１３】図１０におけるXIII−XIII線による矢示断面図の一部である。
【図１４】複数の構造物支持部材を梁に取り付ける際の配置を説明するための模式図である。
【発明を実施するための形態】
【００１３】
［構造物支持部材］
本発明の一実施形態（第１実施形態）に係る構造物支持部材は、柱および梁を含む構造物において、梁を、梁の幅方向に沿う第１切断部で切断して、柱側の第１梁部と、それ以外の第２梁部とに分離する際に、第２梁部を支持する支持部材である。支持部材は、支持部材を第１梁部に固定するための固定部と、第２梁部側に配置され、かつ第２梁部の荷重を受ける第１荷重受け部と、第１梁部側に配置され、かつ第１梁部に第２梁部の荷重に対する反力を与える反力部と、第１荷重受け部と前記反力部とを一体化するアーム部と、を備える。
【００１４】
本発明の他の一実施形態（第２実施形態）に係る構造物支持部材は、柱、梁およびスラブを含む構造物において、梁を、梁の幅方向に沿う第１切断部で切断して、柱側の第１梁部と、それ以外の第２梁部とに分離する際に、第２梁部を支持するとともに、スラブを、梁の長さ方向に沿う第２切断部で切断して、梁側の第１スラブ部と、それ以外の第２スラブ部とに分離する際に、第２スラブ部を支持する支持部材である。支持部材は、第２梁部側に配置され、かつ第２梁部の荷重を受ける第１荷重受け部と、第１梁部側に形成され、かつ第１梁部に第２梁部の荷重に対する反力を与える反力部と、第１荷重受け部と反力部とを一体化するアーム部と、アーム部に一体化されるとともに、第２スラブ部側に配置され、かつ第２スラブ部の荷重を受ける第２荷重受け部と、支持部材を第１梁部に固定するための固定部と、を備える。
【００１５】
一般に、構造物を解体する際には、重機や支保工で梁やスラブを支えた状態で梁を切断する。支保工を利用する場合には、資材の搬入、支保工の組み立ておよび解体などが必要となる。一方、本実施形態では、重機や支保工を用いず、上記のような支持部材を梁に固定して梁やスラブを支える。切断された第２梁部は、第１梁部に固定された支持部材により支えられる。また、スラブを含む構造物を解体する際には、梁に固定された支持部材の第２荷重受け部が、切断された第２スラブ部を支える。上記のような支持部材を用いることで、簡便に、梁やスラブを切断することができる。よって、解体の作業効率を高めることができる。また、支保工を利用する場合に求められる労力も資材も不要であるため、従来に比べて、労力およびコストを大幅に削減できる。
【００１６】
以下に、本発明の実施形態に係る支持部材の具体例を、適宜図面を参照しつつ説明する。
図１は、第１実施形態に係る支持部材の側面図であり、支持部材を梁に固定させた状態を概略的に示している。図２は、図１におけるＩＩ−ＩＩ線による矢示断面図の一部である。図３はＩＩＩ−ＩＩＩ線による矢示断面図の一部である。図４はＩＶ−ＩＶ線による矢示断面図の一部である。図５はＶ−Ｖ線による矢示断面図の一部である。
【００１７】
柱Ｐおよび梁Ｂを含む構造物の解体作業において、梁Ｂは、梁Ｂの幅方向に沿う第１切断部Ｃ１で切断され、柱Ｐ側の第１梁部ｂ１と、それ以外（つまり、柱Ｐよりも遠い側）の第２梁部ｂ２とに分離される。この際、支持部材１を用いることで、第１梁部ｂ１により、第２梁部ｂ２を安定に支持することができる。
【００１８】
支持部材１は、支持部材１自身を第１梁部ｂ１に固定する固定部４と、第１荷重受け部２と、反力部３と、第１荷重受け部２および反力部３を一体化するアーム部Ａ１と、を備えている。
【００１９】
固定部４は、第１梁部ｂ１を幅方向Ｄｗに貫通する棒状部４ａを備えている。棒状部４ａの両端部は、それぞれ第１梁部ｂ１の幅方向に突出している。棒状部４ａの両端部には、それぞれ、ねじ山が形成されている。両端部に支持部材１のアーム部Ａ１が取り付けられる。ねじ山に対してナット４ｂを締め付けることにより、アーム部Ａ１が第１梁部ｂ１に固定される。
【００２０】
第１荷重受け部２は、第２梁部ｂ２側に配置され、反力部３は、第１梁部ｂ１側に配置される。第１切断部Ｃ１で梁Ｂを幅方向Ｄｗに沿って切断すると、柱Ｐおよび第１梁部ｂ１から第２梁部ｂ２が分離される。このとき、第１荷重受け部２は、第２梁部ｂ２の荷重を受け、この荷重に対する反力は反力部３により第１梁部ｂ１に付与される。
【００２１】
なお、図２および図３では、支持部材１の構造は、梁Ｂの幅方向Ｄｗの中心を通る平面に対して対称である。つまり、支持部材１は、アーム部Ａ１を一対有しており、各アーム部Ａ１がそれぞれ、第１荷重受け部２および反力部３を備える。そして、一対のアーム部Ａ１が、固定部４により、第１梁部ｂ１に固定されている。
【００２２】
アーム部Ａ１は、鉛直方向に延びる支柱ｐと、支柱ｐの下端部から梁Ｂの長さ方向に沿って、一方向に延びる第１アームａ１と、他方向に延びる第２アームａ２とを備えている。一対のアーム部Ａ１（具体的には、支柱ｐ）はそれぞれ棒状部４ａの両端部に固定されている。これにより、支持部材１が第１梁部ｂ１に固定される。
【００２３】
第１アームａ１は、その端部に第１荷重受け部２を有し、第２アームａ２はその端部に反力部３を有している。第１アームａ１と第２アームａ２とが一体化することで、アーム部Ａ１の一部が構成される。このように、第１荷重受け部２と反力部３とが一体化することで、第２梁部ｂ２の荷重は、第１荷重受け部２から反力部３に伝わり、第１梁部ｂ１に与えられる。
【００２４】
図示例では、図２に示されるように、第１アームａ１の第２梁部ｂ２側の端部には、第２梁部ｂ２の下方に回りこむように、取り付け部５が形成されている。取り付け部５は、第１アームａ１の端部から、第２梁部ｂ２の底面と対向するように延びる平面５ａを有する。図３に示されるように、第２アームｂ２の第１梁部ｂ１側の端部には、第１梁部ｂ１の下方に回りこむように、取り付け部６が形成されている。取り付け部６は、第２アームａ２の端部から、第１梁部ｂ１の底面と対向するように延びる平面６ａを有する。取り付け部５に、第１荷重受け部２が取り付けられ、取り付け部６に反力部３が取り付けられている。
【００２５】
第１アームａ１の端部（より具体的には、取り付け部５）に配置された第１荷重受け部２は、受け皿１２ａを有するアジャスターボルト１２と、これを第１アームａ１の端部に固定するナット１２ｃとで構成されている。アジャスターボルト１２は、取り付け部５を鉛直方向に貫通する孔に通した状態で配設される。これにより、受け皿１２ａは、第２梁部ｂ２の底面に対向する。受け皿１２ａの底部から延びる脚部１２ｂは、ねじ山を有する。受け皿１２ａと取り付け部５の上面との間にナット１２ｃが配置され、ナット１２ｃは脚部１２ｂに対してはめ込まれる。ナット１２ｃの締め具合を調節することで、受け皿１２ａの高さが調節される。これにより第２梁部ｂ２を受け皿１２ａで安定に支持できる。反力部３も、受け皿１３ａを有するアジャスターボルト１３およびナット１３ｃで構成されており、第２アームａ２の端部（具体的には、取り付け部６の平面６ａ）に、これを鉛直方向に貫通する孔を介して装着されている以外は、第１荷重受け部２と同じ構造を有する。つまり、ボルト１３は、ねじ山を有する脚部１３ｂを有し、この脚部１３ｂが平面６ａに形成された孔に通される。また、ナット１３ｃの締め具合を調節することで、受け皿１３ａの高さが調節される。
【００２６】
第１荷重受け部２は、必ずしも第２梁部ｂ２の底面から第２梁部ｂ２の荷重を受ける必要はない。例えば、第２梁部ｂ２の両側面から挟みこむように第１荷重受け部２を設置してもよい。しかし、第２梁部ｂ２の荷重は鉛直下方に働くため、第１荷重受け部２は、図示例のように第２梁部ｂ２の底面から荷重を受けることが有利である。類似の理由で、反力部３は、図示例のように、第１梁部の底面から反力を第１梁部に付与するように、配設することが有利である。
【００２７】
アーム部Ａ１は、さらに、第１アームよりも上方、かつ梁の側面に配置される第４アームａ４を有してもよい。第４アームａ４は、支柱ｐから第１アームａ１と同じ向きに延びている。第４アームａ４は、第１梁部ｂ１および第２梁部ｂ２に跨って、梁Ｂの側面に沿うように延びている。そのため、分離した第２梁部ｂ２を側面から支えることができる。よって、第４アームａ４と第１荷重受け部２とにより、第２梁部ｂ２を安定に保持することができる。第１アームａ１と第４アームａ４とはある程度間隔をおいて配置する方が、第２梁部ｂ２を安定に保持する観点からは有利である。第１アームａ１と第４アームａ４との間隔は、梁Ｂのサイズや第１荷重受け部２の構造などに応じて適宜決定すればよい。
【００２８】
図４に示されるように、梁Ｂを上から見たときに、第４アームａ４と梁Ｂとの間には、隙間９ａが形成されている。隙間９ａは第１切断部Ｃ１およびその近傍に形成されている。換言すれば、第４アームａ４は、隙間９ａを隔てて第１切断部Ｃ１を跨ぐような形状である。梁Ｂは、一般にワイヤソーで切断される。そのため、このような隙間９ａを設けることで、ワイヤソーのワイヤと第４アームａ４との接触を抑制することができる。隙間９ａは、第４アームａ４の全体にわたって形成してもよい。ただし、第２梁部ｂ２を保持し易い観点からは、第１切断部Ｃ１およびその近傍など、第４アームａ４の少なくとも一部において梁Ｂとの間に形成すればよい。
【００２９】
ワイヤソーは、その本体から繰り出されるワイヤにより対象物を切断する。ワイヤソーの本体は、柱Ｐ、梁Ｂやこれらと連なるスラブの上部（つまり、構造物の上層階）に配置してもよく、下部（つまり、構造物の下層階の床など）に配置してもよい。上部に配置するときは、本体から下方に垂らされたワイヤを梁Ｂの底面に回した状態で梁Ｂを第１切断部Ｃ１で切断する。この場合、少なくとも第４アームと梁との間に上記のような隙間を形成する。
【００３０】
ワイヤソーの本体を下部に設置するときは、ワイヤを梁Ｂの上面に回した状態で、梁Ｂを第１切断部Ｃ１で切断する。構造物は、通常上層階から解体していくため、ワイヤソーを安定に設置することができる点でこの方法が有利である。この方法では、切断時に、ワイヤが第１アームａ１の近傍を通る。そのため、第４アームａ４に隙間９ａを形成するとともに、第１アームａ１にも同様の隙間９ｂを形成することが好ましい。具体的に説明すると、図５に示されるように、梁Ｂを上から見たときに、第１アームａ１と梁Ｂとの間に、隙間９ｂを形成することが好ましい。この隙間９ｂにより、ワイヤと第１アームａ１との接触が抑制される。隙間９ｂは、第１アームａ１の全体にわたって形成してもよいが、少なくとも一部において第１アームａ１と梁Ｂとの間に形成すればよい。第２梁部ｂ２を保持し易い観点からは、第４アームａ４の隙間９ａの直下に隙間９ａと同様のまたは類似形状の隙間９ｂを形成することが好ましい。つまり、第１アームａ１は、梁Ｂを上から見たときに、第１切断部Ｃ１を跨ぐような形状にすることが好ましい。
【００３１】
図１に示すように、アーム部Ａ１は、第２アームの第１梁部ｂ１側の端部と支柱ｐの上部とを、斜めに連結する補強部材Ｒ１を有してもよい。補強部材Ｒ１により、反力部３を補強することができる。なお、図３〜図５では、補強部材Ｒ１を省略している。
【００３２】
アーム部Ａ１は、第１アームａ１の第２梁部ｂ２側の端部と第４アームａ４の第２梁部ｂ２側の端部とを連結する連結部材Ｌを備えていてもよい。この場合、第１アームａ１および第４アームａ４を補強しつつ、第１アームａ１および第４アームａ４により第２梁部ｂ２をさらに安定に保持することができる。
【００３３】
一対のアーム部Ａ１は、梁Ｂをより確実に保持できるように、幅止め部材で固定されていてもよい。図示例では、一対の第１アームａ１の第２梁部ｂ２側の端面間に、幅止め部材７を渡している。幅止め部材７は特に限定されないが、例えば、矩形の平板が幅方向の中心で直角に折り曲げられたような断面Ｌ字状の形状であればよい。幅止め部材７の外側の一方の面を双方の第１アームａ１の端面に留め付ければよい。
【００３４】
また、図示例では、一対の第２アームａ２の底面にも幅止め部材８が留め付けられている。幅止め部材８は特に限定されないが、例えば、幅止め部材７と同じ形状でよく、外側の一方の面を双方の第２アームａ２の底面に留め付ければよい。
【００３５】
次に、別の実施形態について説明する。図６は、第２実施形態に係る支持部材の側面図であり、支持部材を梁に固定させた状態を概略的に示している。図７は、図６におけるVII−VII線による矢示断面図の一部である。図８は、VIII−VIII線による矢示断面図の一部である。図７および図８では、補強部材Ｒ１は省略している。
【００３６】
柱Ｐ、梁ＢおよびスラブＳを含む構造物の解体作業において、スラブＳは、梁Ｂの長さ方向に沿う第２切断部Ｃ２で切断され、梁Ｂ側の第１スラブ部ｓ１と、それ以外（つまり、梁Ｂよりも遠い側）の第２スラブ部ｓ２とに分離される。次いで、梁Ｂは、第１切断部Ｃ１で切断され、第１梁部ｂ１と第２梁部ｂ２とに分離される。これらの際に、支持部材２１を用いることで、梁Ｂで第２スラブ部ｓ２を安定に支持することができるとともに、第１梁部ｂ１で第２梁部ｂ２を安定に支持することができる。梁Ｂの切断は、図１〜図５の支持部材１の場合と同じであり、上記の説明を参照できる。図１〜図５と同じ構成要素には、同じ符号を付している。
【００３７】
支持部材２１は、支持部材２１自身を第１梁部ｂ１に固定する固定部４、第１荷重受け部２、反力部３、およびアーム部Ａ２に加え、第２荷重受け部２２を備えている。第２荷重受け部２２は、アーム部Ａ２に一体化され、かつ第２スラブｓ２側に配置される。第２切断部Ｃ２でスラブＳを長さ方向に沿って切断すると、梁Ｂおよび第１スラブ部ｓ１から第２スラブ部ｓ２が分離される。このとき、第２荷重受け部２２は、第２スラブ部ｓ２の底面からその荷重を受ける。この荷重に対する反力は、アーム部Ａ２の梁Ｂに固定された部分および梁Ｂなどに付与される。分離した第２スラブ部ｓ２を取り除いた後は、第１実施形態の場合と同様に、第１切断部Ｃ１により第２梁部ｂ２を切断、分離することができる。
【００３８】
なお、図７では、支持部材２１の構造は、梁Ｂの幅方向Ｄｗの中心を通る平面に対して対称である。つまり、支持部材２１は、一対のアーム部Ａ２を有しており、各アーム部Ａ２がそれぞれ、第１荷重受け部２、反力部３および第２荷重受け部２２を備える。そして、一対のアーム部Ａ２が、固定部４により第１梁部ｂ１に固定されている。
【００３９】
アーム部Ａ２は、支持部材１のアーム部Ａ１の構造に加え、第３アームａ３を有する。第３アームａ３は、支柱ｐから、梁Ｂの幅方向Ｄｗに沿って梁Ｂの外方に向かって延び、その端部に第２荷重受け部２２を有する。図示例では、図７に示されるように、第３アームａ３は、第１梁部ｂ１に固定されたブラケット２７の一部を構成している。ブラケット２７は、第３アームａ３と、第３アームと一体化した支持部２６と、補強部材Ｒ２とを含む。支持部２６は、第３アームａ３の第１スラブ部ｓ１側の端部から鉛直下方に延びている。補強部材Ｒ２は、支持部２６の下端部と第３アームａ３の第２スラブ部ｓ２側の端部とを連結することで、ブラケット２７を補強している。このようなブラケット２７もアーム部Ａ２に含まれる。
【００４０】
ブラケット２７は支持部２６を介して支柱ｐに固定される。図示例では、図７に示されるように、支柱ｐの上部と下部とに、それぞれ、一対のガセットプレート２５ａおよび一対のガセットプレート２５ｂが設けられる。ブラケット２７の支持部２６は、これらのガセットプレート２５ａ、２５ｂに固定されている。このような構造により、第２荷重受け部２２は、アーム部Ａ２に一体化されることになる。
【００４１】
なお、図８に示されるように、一対のガゼットプレート２５ａはそれぞれ、支柱ｐの幅方向の両端部から、梁Ｂの幅方向Ｄｗに沿って梁Ｂの外方に突出し、支柱ｐに固定されている。一対のガセットプレート２６ａについても、ガセットプレート２５ａの場合と同様である。
【００４２】
ブラケット２７は、特に制限されないが、ブラケット２７の支持部２６の大部分が梁Ｂの側面と対向するような位置に取り付けられる。支持部２６の下端部を梁Ｂの側面と対向する位置に固定できるように、支持部２６の上端部の固定位置を決定してもよい。図９のように支持部２６の上端部を固定部４付近に固定してもよい。
【００４３】
ただし、スラブＳを第２切断部Ｃ２で切断する際に、カッターの刃がブラケット２７に接触しないように、ブラケット２７の上端部を、第２荷重受け部２２の上端部よりも低くすることが望ましい。そのため、ブラケット２７を支柱ｐに固定する位置を調整したり、第２荷重受け部の上端部の高さを調整したりすることが有効である。なお、スラブＳは、例えば、道路カッターなどのカッターを用いて切断できる。
【００４４】
第２荷重受け部２２は、ブラケット２７の第２スラブ部ｓ２側の端部に固定された束材（第１束材）２４を有してもよい。この場合、第２荷重受け部２２の上端部の高さを調整し易くなる。図示例では、図７に示すように、第２荷重受け部２２は、第１束材２４と、第１束材２４の上端部に固定されたアジャスターボルト２３とを有する。アジャスターボルト２３は、第２スラブ部ｓ２を支持する受け皿２３ａと、受け皿２３ａの底部から延びる脚部２３ｂとを有する。アジャスターボルト２３は、第１束材２４の上面を鉛直方向に貫通する孔に通した状態で配設される。これにより、受け皿２３ａは、第２スラブ部ｓ２の底面に対向する。脚部２３ｂは、ねじ山を有する。受け皿２３ａと第１束材２４の上面との間にナット２３ｃが配置され、ナット２３ｃは脚部２３ｂに対してはめ込まれる。ナット２３ｃの締め具合を調節することで、受け皿２３ａの高さが調節される。これにより、第２スラブ部ｓ２を受け皿２３ａで安定して支えることができるとともに、カッターの刃のブラケット２７への接触を抑制し易くなる。
【００４５】
図６に示されるように、第１束材２４の側面には、長さ方向に並ぶ複数の孔２４ａが形成されている。第１束材２４は、孔２４ａを介して、第１束材２４の側面を第３アームａ３の端部に螺子止めすることで固定される。複数の孔２４ａから螺子止めに利用する孔を選択することで、第２荷重受け部２２の上端部の高さを調節する。
【００４６】
ブラケット２７は、上下を反対にして支柱ｐに固定してもよい。図９は、本発明の第３実施形態に係る支持部材の断面図であり、支持部材を梁に固定させた状態を概略的に示している。図９に示す支持部材３１は、ブラケット２７を、上下を反対にした状態で支柱ｐに固定した以外は、図６〜８に示す支持部材２１と同じである。図９は、固定部４の棒状部４ａの幅方向の中心を通る鉛直方向と平行な断面を示しており、支持部材２１の場合の図７に対応する。
【００４７】
支持部材３１では、第３アームａ３は、支柱ｐの下部から梁Ｂの幅方向Ｄｗに沿って梁Ｂの外方に向かって延びている。第３アームａ３の第２スラブ部ｓ２側の端部に第２荷重受け部２２が配置されている。第３アームａ３の第１スラブ部ｓ１側の端部からは、鉛直上方に支持部２６が延びている。補強部材Ｒ２は、支持部２６の上端部と第３アームａ３の第２スラブ部ｓ２側の端部とを連結している。ブラケット２７をこのような形態で使用すると、梁Ｂのサイズが小さくても、第２切断部Ｃ２の直下に空間を形成し易くなる。よって、スラブＳを切断する際に、カッターの刃がブラケット２７に接触するのを抑制し易い。このような支持部材３１は、特に、小梁を切断する際に使用するのに適している。
【００４８】
第１〜第３実施形態は、コンクリート製の梁に構造物支持部材を装着する場合を示したが、このような場合に限らず、構造物支持部材は鉄骨梁に装着して、梁やスラブの切断を行うことができる。このような実施形態（第４実施形態）について以下に説明する。
図１０は、第４実施形態に係る支持部材の側面図であり、支持部材を鉄骨梁に固定させた状態を概略的に示している。図１１は、図１０におけるXI−XI線による矢示断面図の一部である。図１２は、XII−XII線による矢示断面図の一部である。図１３は、XIII−XIII線による矢示断面図である。図１２では、補強部材Ｒ１は省略している。
【００４９】
構造物の解体作業において、スラブＳは、鉄骨梁Ｂ２の長さ方向に沿う第２切断部Ｃ２で切断され、鉄骨梁Ｂ２側の第１スラブ部ｓ１と、それ以外の第２スラブ部ｓ１とに分離される。次いで、鉄骨梁Ｂ２は、第１切断部Ｃ１で切断され、第１梁部ｂ１１と第２梁部ｂ１２とに分離される。鉄骨梁Ｂ２は、その上部に存在するスラブＳごと切断してもよいが、第１切断部Ｃ１の上部に位置するスラブＳの一部分４０を予め取り除いた後に、鉄骨梁Ｂ２を第１切断部Ｃ１で切断してもよい。
【００５０】
第２実施形態に係る支持部材２１と、第４実施形態に係る支持部材４１との違いは、支持部材を梁に固定する部分である。図示例では、鉄骨梁Ｂ２はＨ型鋼で構成される。梁鉄骨Ｂ２は、Ｈ型鋼の一対のフランジ３２のうち、一方のフランジ３２の側面がスラブＳの第１スラブ部の底面を支え、ウェブ３３がスラブＳの底面と垂直になるように配設されている。
【００５１】
このように鉄骨梁Ｂ２は、フランジ３２の両端部よりもウェブ３３が引っ込んだ形状である。そのため、支持部材４１は、第２実施形態の構造に加えて、梁鉄骨Ｂ２に支持部材４１を安定に装着するための補助構造を備える。補助構造は、アーム部Ａ２と鉄骨梁Ｂ２との間に配置される。補助構造は、棒状部４ａを覆うように配置された鋼管３６と、アーム部Ａ２を鉄骨梁Ｂ２の下側のフランジ３２で支えるための束材（第２束材）３５とを備える。第２束材３５は、断面コ字状の支柱３５ａと支柱３５ａの下端部を部分的に塞ぐように形成された底板３５ｂとを備える。第２束材３５の支柱３５ａは、第２アーム部Ａ２の支柱ｐに対して、ボルトおよびナットなどの締結部材３８により固定される。そして、第２束材３５の支柱３５ａの背面が第２アーム部Ａ２の支柱ｐの梁側の側面と接し、底板３５ｂが下側のフランジの内面と接するように、支持部材４１は、鉄骨梁Ｂ１に対して配設される。
【００５２】
第２束材３５の上端部において、支柱３５ａには、棒状部４ａが貫通する貫通孔が形成されている。円筒状の鋼管３６は、棒状部４ａの、第２束材３５の支柱３５ａと鉄骨梁Ｂ２との間の部分を拡径するように覆っている。これにより鋼管３６とウェブ３３との円形の接触面、および鋼管３６と支柱３５ａとの円形の接触面が形成され、棒状部４ａが安定化する。棒状部４ａは、第２アーム部Ａ２の支柱ｐおよび第２束材３５の支柱３５ａに対して、第２アーム部Ａ２側からナット４ｂで固定され、第２束材側からナット３７で固定される。このとき、ナット３７は、鋼管３６の内側に収まるように配置される。
【００５３】
支持部材４１は、第２実施形態の支持部材２１のように、鉄骨梁Ｂ２の幅方向Ｄｗの中心を通る平面に対して対称である。つまり、図示例の補助構造は、一対の第２束材３５と、一対の鋼管３６と、を備えている。
【００５４】
鉄骨梁Ｂ２は、第１実施形態や第２実施形態の場合と同様に、切断部Ｃ１で切断される。切断された第２梁部ｂ２が傾いたり、落ちたりすることを防止するため、支持部材４１は、サイドストッパー４２を備えていることが好ましい。サイドストッパー４２は、羽のような形状を有しており、長手方向の中心付近において、ボルトおよびナットなどの締結部材４３により、第４アームａ４の第２梁部ｂ２側の端面に回転可能に固定されている。切断された第２梁部ｂ２を運び出す前までは、サイドストッパー４２は長手方向が横向きにされている。そして、第２梁部ｂ２を運び出す際には、図１３中に点線で示したように、サイドストッパー４２の鉄骨梁Ｂ２側の端部を上方向に動くようにサイドストッパー４２を回転させて、第２梁部ｂ２を、図中の矢印のように上方向に持ち上げればよい。
【００５５】
第１実施形態に係る支持部材は、構造物からスラブを除去した後に、梁を切断する際に用いるのに適している。第２実施形態、第３実施形態、または第４実施形態に係る支持部材は、構造物からスラブを切断するとともに、スラブを除去した後に梁を切断する際に用いるのに適している。なお、第４実施形態については、ブラケット２７、および第２荷重受け部２２を有さない状態で、第１実施形態の場合のように、梁を切断する際に用いてもよい。また、各支持部材は、ハンチを有するスラブや梁を切断するのにも特に制限なく使用される。
以下に、支持部材の各構成要素についてより具体的に説明する。
【００５６】
（固定部）
固定部は、支持部材を第１梁部に固定できる限り特に制限されない。例えば、杭のような固定部を第１梁部に打ち込むことで、支持部材を第１梁部に固定してもよい。第２梁部や第２スラブ部の重量を安定して支える観点からは、第１梁部を幅方向に貫通する孔を開け、この孔に棒状部４ａのような棒状部材を通して、少なくとも一方の端部に支持部材を固定することが好ましい。棒状部材の一方の端部にのみ支持部材を固定する場合にも、他方の端部を固定することが望ましい。
【００５７】
支持部材は、固定部を１つ有してもよく、２つ以上有してもよい。例えば、図示例のように、第１梁部を貫通する孔を一箇所に設け、この孔を利用して支持部材を第１梁部に固定してもよい。また、第１梁部を貫通する孔を、梁の高さ方向や長さ方向などに複数設け、各孔を利用して、複数箇所で支柱を第１梁部に固定してもよい。例えば、図１の例において、支柱の長さ方向における中央部分に、さらに固定部４と類似の構造を有する別の固定部を設けてもよい。また、図１の例において、第２アームの上方の第１梁部の側面に沿って、支柱ｐから第２アームと同じ側に延びる別のアームを設け、このアームに固定部４と類似の構造を有する別の固定部を設けてもよい。
【００５８】
棒状部材としては、第１梁部から外方に突出する端部にねじ山を有するものを用いれば、支持部材の取り付け、および取り外しが容易である。様々な梁のサイズに合わせやすいように、棒状部材のより内側までねじ山を有するものを用いてもよい。
棒状部４ａのような棒状部材を用いる場合、棒状部材の最大径は、例えば、５００〜１０００ｍｍであってもよい。
【００５９】
（荷重受け部および反力部）
第１荷重受け部および第２荷重受け部は、それぞれ、第２梁部および第２スラブ部を支えることができればよい。図示例のようにアジャスターボルトを利用する場合に限らない。第２梁部や第２スラブ部を確実かつ安定して支え易い観点からは、アジャスターボルトのように、第２梁部と第１荷重受け部との距離や第２スラブ部と第２荷重受け部との距離を調節できることが有利である。第１荷重受け部や第２荷重受け部と同様に、反力部についても、アジャスターボルトを用いる場合に限らない。
【００６０】
第２荷重受け部は、スラブの底面を保持できる限り、必ずしも第１束材を有する必要はなく、アジャスターボルトなどの保持部材だけで構成してもよい。例えば、脚部の長いアジャスターボルトなどを用いてもよい。第２切断部の直下に空間を形成でき、カッターの刃がブラケットや第３アームに接触することを抑制し易い観点からは、第１束材を用いることが有利である。第１束材を用いると、第１束材のサイズや固定位置などによっても、第２荷重受け部と第２スラブ部との距離を調整することができる。
第１束材の高さは、例えば、３００〜７００ｍｍであってもよい。
【００６１】
（アーム部）
図示例では、一対のアーム部が梁を挟んで固定部材で固定された例を示したが、このような場合に限定されない。アーム部を１つだけ第１梁部に固定部材で固定してもよい。支持部材を第１梁部に安定に固定する観点からは、一対のアーム部を用いることが好ましい。一対のアーム部は、第１梁部を貫通する棒状部材の第１梁部から突出する両端部に、それぞれ固定される。
【００６２】
第１実施形態では、アーム部は、第１荷重受け部と反力部とを一体化して、第１荷重受け部に加わる荷重の反力を反力部に伝えることができればよい。アーム部の構造は特に制限されない。好ましい実施形態では、アーム部は、第１荷重受け部が一方の端部に配置された第１アームと、反力部が一方の端部に配置された第２アームとを備えている。第１アームおよび第２アームは、梁の長さ方向に沿うような形状を有している。第１荷重受け部に加わる荷重の反力を反力部に伝え易いように、第１アームの他方の端部と第２アームの他方の端部とは一体化されている。
【００６３】
図示例では、アーム部が支柱を有する場合を示したが、支柱は必ずしも設ける必要はない。一体化した第１アームおよび第２アームを、適当な位置で、第１梁部に固定してもよい。ただし、第１荷重受け部が第２梁部の底面から荷重を受け、反力部が第１梁部の底面から反力を付与する場合、支持部材を第１梁部に固定するための支柱を設けることが望ましい。この場合、支柱の固定部よりも下の位置に第１アームおよび第２アームが一体化または固定される。
【００６４】
第１アーム、第２アームおよび支柱のサイズは、梁のサイズや荷重、スラブの荷重などに応じて、適宜決定できる。第１アームおよび第２アームの幅（鉛直方向の長さ）は、それぞれ、例えば、５０〜２００ｍｍである。一体化した第１アームおよび第２アームの総長さ（梁の長さ方向における総長さ）は、例えば、５００〜１０００ｍｍである。
アーム部が支柱を有する場合、支柱の幅は、例えば、５０〜２００ｍｍである。支柱の長さは、例えば、３００〜８００ｍｍである。
【００６５】
第１、第２および第４アームのそれぞれは、板状であってもよく、上記の隙間を形成するために一部を湾曲させた板状であってもよい。また、これらの板状の部材の幅方向の両端部を直角に屈曲させた形状、板状の部材の周縁部を直角に屈曲させた箱のような形状の部材（Ｈ形鋼、Ｌ形鋼など）でアームを構成してもよい。アーム間、アームと支柱との間は、一体に成形されていてもよく、溶接などで接合されていてもよく、螺子などで固定されていてもよい。
【００６６】
第４アームのサイズは、梁のサイズなどに応じて適宜決定できる。第４アームの幅（鉛直方向の長さ）は、例えば、１００〜２００ｍｍである。第４アームの長さ（梁の長さ方向における長さ）は、例えば、３００〜６００ｍｍである。
【００６７】
アーム部は、必要に応じて、各アーム間やアームと支柱との間を連結して補強する補強部材を有してもよい。例えば、支柱の適当な位置と、第１アームおよび／または第４アームの適当な位置とを補強部材で連結してもよい。また、図示例のように、支柱の適当な位置と第２アームの適当な位置とを補強部材で連結してもよい。支柱とアームとを連結する補強部材は、通常、支柱やアームに対して斜めに設けられる。
【００６８】
スラブを切断する際に第２スラブ部を支持部材で支える実施形態では、アーム部は、第２スラブ部の荷重を受ける第２荷重受け部とも一体化される。好ましい実施形態では、アーム部は、第２荷重受け部を端部に有する第３アームを供えている。
【００６９】
構造物において、スラブは、梁と梁との間に広がるように形成されている。よって、第２荷重受け部でスラブの底面を支えられるように、第３アームは、支柱、第１アーム、第２アームまたは第４アームから梁の幅方向に梁の外方に向かって延びるように配置される。スラブの荷重を安定に支えるためには、支柱を設け、支柱から延びるように第３アームを配置することが好ましい。
【００７０】
（その他）
梁に対して支持部材を固定する場合、補助構造は、上述のような第２束材および鋼管を有する場合だけに限らず、梁の形状に合わせて変更可能である。補助構造は、鉄骨梁の場合だけでなく、コンクリート梁の場合にも、その形状に合わせて設けることができる。
第２束材の高さは、梁の底面と固定部との間の距離を考慮して決定すればよい。鋼管の長さは、梁の幅を考慮して決定すればよい。
【００７１】
サイドストッパーの形状は、切断後の第２梁部を安定に保持して、第２梁部を運び出し易ければ、特に制限されない。
なお、支持部材を構成する各部材は、鉄製、ステンレス鋼などの金属製であることが好ましい。また、鉄製の部材をめっき処理したものを用いてもよい。
【００７２】
［構造物解体方法］
本発明では、上記のような支持部材を用いることで、構造物の解体を簡便に行うことができるため、作業効率を高めることができる。
第１実施形態のような支持部材を用いる場合には、構造物の解体方法は、支持部材を第１梁部に固定する固定工程、および梁を第１切断部で切断する梁切断工程を含む。第２実施形態や第３実施形態のような支持部材を用いる場合には、構造物の解体方法は、支持部材を第１梁部に固定する固定工程と、スラブを第２切断部で切断して第１スラブ部と第２スラブ部とに分離するスラブ切断工程と、第２スラブ部を取り除く工程と、梁を切断する梁切断工程とを含む。
【００７３】
（固定工程）
固定工程では、第１荷重受け部と反力部との間に第１切断部が位置するように、固定部により支持部材を第１梁部に固定する。予め、第１切断部Ｃ１よりも柱Ｐ側の第１梁部ｂ１に梁Ｂを幅方向Ｄｗに貫通する孔を開けておく。
【００７４】
スラブを切断する場合には、支持部材を固定する際に、第２荷重受け部で第２スラブ部を支持する。このとき、第２荷重受け部を有する支持部材を第１梁部に固定してもよい。また、第２荷重受け部を有さない状態の支持部材を第１梁部固定した後、支持部材のアーム部に第２荷重受け部を一体化させてもよい。
【００７５】
図示例の支持部材を用いる場合には、まず、第１梁部ｂ１に形成された孔に棒状部４ａを挿入する。次に、各アーム部に、各アーム、反力部、第１荷重受け部、補強部材Ｒ１、連結部材Ｌなどを有する一対のアーム部で、梁Ｂを幅方向Ｄｗに挟み、支柱ｐの上部に開けた貫通孔を棒状部４ａの端部に通す。そして、突出した棒状部４ａの両端部にそれぞれナット４ｂを締め付けて固定部４を完成させる。幅止め部材７および８を取り付ける場合には、固定部４で支持部材１を第１梁部ｂ１に固定した後に、一対のアーム部を互いに固定するように取り付ければよい。
【００７６】
支持部材２１や３１を用いる場合には、まず、ブラケット２７および第２荷重受け部２２を有さない状態のアーム部を第１梁部ｂ１に固定する。次いで、ブラケット２７および第２荷重受け部２２を取り付けることで支持部材２１または３１を完成させてもよい。ブラケット２７および第２荷重受け部２２を後から取り付けると、スラブを第２荷重受け部で保持する際に第２荷重受け部の上端部の高さの調整が容易になる。このとき、梁のサイズに応じて、ブラケットを図７に示すように第３アームが補強部材Ｒ２よりも上に来るように取り付けるか、図９に示すように第３アームが補強部材Ｒ２よりも下に来るように取り付けるかを適宜選択すればよい。
【００７７】
第２荷重受け部は、支柱ｐへの固定に先立ってブラケット２７に取り付けてもよい。また、ブラケット２７を支柱ｐに固定した後に、ブラケット２７に第２荷重受け部を取り付けてもよい。アジャスターボルト２３は、予め第１束材２４の上端部にナット２３ｃで固定してもよい。
【００７８】
支持部材を固定した後および／または固定の前に、適宜、第１荷重受け部および反力部の上端部と梁の底面とが接触するように、第１荷重受け部および反力部の上端部の高さを調整する。同様に、第２荷重受け部の上端部とスラブの底面とが接触するように、第２荷重受け部の上端部の高さを調整する。第２荷重受け部の上端部の高さは、ブラケットおよび第２荷重受け部をアーム部に一体化した後および／または一体化の前に調整してもよい。
【００７９】
なお、支持部材の固定方法については、図１〜図９に示される支持部材の場合を例に挙げて説明したが、この場合に限らず、図示例の支持部材とは構造が異なるものを用いる場合でも、図示例の支持部材の場合に準じて第１梁部に固定することができる。
【００８０】
（スラブ切断工程）
スラブ切断工程では、固定工程で支持部材を第１梁部に固定した状態で、スラブを第２切断部で切断して第１スラブ部と第２スラブ部とに分離する。支持部材は、第２スラブ部を第２荷重受け部で支え、第２荷重受け部で受けた荷重の反力を、アーム部の梁の側面に位置する部分、固定部や梁などに付与する。
【００８１】
スラブの切断は、道路カッターなどのコンクリートカッターなどを用いて行うことができるが、この場合に特に限定されるわけではなく、公知のカッターやソーなどの切断装置を用いることができる。
【００８２】
（第２スラブ部を取り除く工程）
スラブ切断工程で第１スラブ部から分離された第２スラブ部は、重機などの他、適当な装置を用いて構造物から取り除かれる。第２荷重受け部により底面から支えられている第２スラブ部は、重機などの他、適当な装置で持ち上げられて、構造物から運び出すことができる。
【００８３】
（梁切断工程）
梁切断工程では、固定工程で支持部材を第１梁部に固定した状態で、第１切断部で梁を切断し、第１梁部と第２梁部とに分離する。このとき、梁に連なる第１スラブ部も梁を切断する際に第１切断部で切断される。支持部材は、第２梁部を第１荷重受け部で支え、第１荷重受け部で受けた荷重に対する反力を反力部により第１梁部に付与する。
【００８４】
なお、第２梁部の荷重を第２梁部の側面から第１荷重受け部で受ける場合には、第２梁部の荷重をより確実に受けるために、第１荷重受け部を第２梁部の側面に固定することが好ましい。しかし、第１荷重受け部を第２梁部に固定すると、切り離された第２梁部を取り除く際に、第１荷重受け部の固定を解放する必要が生じる。一方、第２梁部を、底面から第１荷重受け部で支える場合には、切断した後も、第２梁部は自重により第１荷重受け部に固定されたような状態となり、支持部材により安定に保持される。このような状態の第２梁部を取り除く際には、特に、第１荷重受け部の固定を解放する必要もないため、作業効率をさらに高めることができる。
【００８５】
梁の切断は、ワイヤソーを用いて行うことができるが、この場合に特に限定されるわけではなく、公知のカッターやソーなどの切断装置を用いることができる。
梁切断工程の後、第１梁部から分離した第２梁部は、重機などの他、適当な装置により、持ち上げたり、ずらして下層階に下ろしたりして、その後、構造物から運び出すことができる。
【００８６】
本発明の実施形態に係る支持部材は、構造物の梁の複数の箇所に取り付けて、スラブの切断および第２スラブ部の除去、および／または梁の切断および第２梁部の除去を行ってもよい。図１０は、複数の支持部材を梁に取り付ける際の配置を説明するための模式図である。
【００８７】
図１０に示す構造物は、複数の柱Ｐと、大梁Ｂｍと、小梁Ｂｓと、スラブＳとを有する。大梁Ｂｍは、隣接する柱Ｐの間をつなぐように配置される。小梁Ｂｓは、大梁Ｂｍの中央付近を横切るように、並行な大梁Ｂｍ間をつなぐように配置される。スラブＳは、大梁Ｂｍおよび小梁Ｂｓの上部を覆い、これらの梁の間に広がるように形成されている。
【００８８】
小梁Ｂｓが連結していない大梁Ｂｍには、柱Ｐに近い位置に、柱Ｐを挟むようにして図６に示される支持部材２１が２つずつ取り付けられている。小梁Ｂｓが連結している大梁Ｂｍには、柱Ｐに近い位置に、図１に示される支持部材１が取り付けられている。小梁Ｂｓには、大梁Ｂｍと小梁Ｂｓとが交差する部分を挟むようにして、この部分に近い位置に図６に示される支持部材３１が２つずつ取り付けられている。
【００８９】
このような構造物では、スラブＳの第２スラブ部ｓ２は、支持部材２１の第２荷重受け部と支持部材３１の第２荷重受け部とで支えられている。道路カッターなどを用いてスラブＳを第２切断部Ｃ２で切断すると、梁に連なる第１スラブ部ｓ１と、梁からは独立した第２スラブ部ｓ２とに分離される。第２切断部Ｃ２は、各梁の長さ方向に沿って形成されており、第２スラブ部ｓ２は矩形に切断される。第２スラブ部ｓ２は、第１スラブ部ｓ１から完全分離された後も、支持部材２１および３１の第２荷重受け部で安定に支えられる。分離された第２スラブ部ｓ２は、重機などを用いて構造物から取り除かれる。
【００９０】
第２スラブ部ｓ２を取り除いた後は、各梁とこれらの梁に保持された第１スラブ部ｓ１とが格子状に残った状態となる。次に、ワイヤソーなどを用いて、各梁を第１スラブ部ｓ１ごと第１切断部Ｃ１で切断して、第１梁部ｂ１と第２梁部ｂ２とに分離する。第１切断部Ｃ１は、各梁の柱Ｐに近い位置や、大梁Ｂｍと小梁Ｂｓとが交差する部分に近い位置に、各梁の幅方向に沿って位置する。そのため、第１切断部Ｃ１で各梁を切断すると、柱Ｐや大梁Ｂｍと小梁Ｂｓとが交差する部分に連なる第１梁部ｂ１と、柱Ｐや大梁Ｂｍと小梁Ｂｓとが交差する部分とは独立した第２梁部ｂ２とに分離される。第２梁部ｂ２は、第１梁部ｂ１から完全に分離された後も、各支持部材の第１荷重受け部により安定に支えられる。分離した第２梁部ｓ２は、重機などを用いて構造物から取り除かれる。
【００９１】
このように、本発明の実施形態に係る支持部材によれば、第２スラブ部や第２梁部を切断分離する際に、重機や支保工などを用いて支える必要がないため、簡便である。よって、解体作業の作業効率を高める上で極めて有効である。
【００９２】
図１０では、小梁には、支持部材３１を取り付け、大梁には、支持部材２１を取り付けたが、このような場合に限らず、梁のサイズに応じて適した支持部材を取り付ければよい。第２スラブ部を支える必要がない箇所では、第２荷重受け部を有さない支持部材１を取り付けたが、これに代えて、支持部材２１や３１などのように第２荷重受け部を有する支持部材を用いてもよい。柱間に渡された梁の長さが長い場合には、柱側だけでなく、柱間の中央など、柱と柱との間の適当な位置に、さらに支持部材を取り付けて、梁を複数のパーツに分けて切断してもよい。
【産業上の利用可能性】
【００９３】
本発明の実施形態に係る構造物支持部材および構造物の解体方法によれば、梁やスラブを含む構造物を解体する際に、梁やスラブを切断するのに有用である。
【符号の説明】
【００９４】
Ｐ：柱、Ｂ：梁、ｂ１：第１梁部、ｂ２：第２梁部、Ｂｍ：大梁、Ｂｓ：小梁、Ｓ：スラブ、ｓ１：第１スラブ部、ｓ２：第２スラブ部、Ｃ１：第１切断部、Ｃ２：第２切断部、１，２１，３１，４１：支持部材、２：第１荷重受け部、３：反力部、２２：第２荷重受け部、４：固定部、４ａ：棒状部、４ｂ：ナット、１２，１３，２３：アジャスターボルト、１２ａ，１３ａ，２３ａ：アジャスターボルトの受け皿、１２ｂ，１３ｂ，２３ｂ：アジャスターボルトの脚部、１２ｃ，１３ｃ，２３ｃ：ナット、Ａ１，Ａ２：アーム部、ａ１：第１アーム、ａ２：第２アーム、ａ３：第３アーム、ａ４：第４アーム、ｐ：支柱、Ｌ：連結部材、Ｒ１，Ｒ２：補強部材、５，６：取り付け部、５ａ，６ａ：取り付け部の平面、７，８：幅止め部材、９ａ，９ｂ：隙間、２４：第１束材、２４ａ：第１束材の孔、２５ａ，２５ｂ：ガセットプレート、２６：支持部、２７：ブラケット、３２：フランジ、３３：ウェブ、３５：第２束材、３５ａ：支柱、３５ｂ：底板、３６：鋼管、３７：ナット、３８：締結部材、４０：第１切断部Ｃ１の上部において取り除かれるスラブＳの一部分、４２：サイドストッパー、４３：締結部材、Ｂ２：鉄骨梁、Ｄｗ：梁の幅方向
【図１】
0006545549.tif 000002
【図２】
0006545549.tif 000003
【図３】
0006545549.tif 000004
【図４】
0006545549.tif 000005
【図５】
0006545549.tif 000006
【図６】
0006545549.tif 000007
【図７】
0006545549.tif 000008
【図８】
0006545549.tif 000009
【図９】
0006545549.tif 000010
【図１０】
0006545549.tif 000011
【図１１】
0006545549.tif 000012
【図１２】
0006545549.tif 000013
【図１３】
0006545549.tif 000014
【図１４】
0006545549.tif 000015